(57)【要約】【課題】  車椅子に座った身体障害者等のユーザが、操作部の角度を簡易な操作で変更できるようにし、操作パネルの設定角度を自由に選択できるようにする。【解決手段】  パネル角度変更機構２５は、引き出し部２６と転がり部材２７と操作部２２とを備えている。引き出し部２６は、複写機本体１０に出し入れ可能なように移動自在に装着されている。操作部２２は、操作パネル２３を有しており、引き出し部２６上方において複写機本体１０に上下方向に揺動自在に装着されている。操作部下面２２ａの第１当接面３１は、引き出し方向上方に傾斜を持つように形成されている。操作部下面２２ａの第２当接面３２は、床面に対して略水平に形成されている。転がり部材２７は、引き出し部２６の上部に回転自在に装着されており、操作部下面２２ａに当接して操作部下面２２ａを出し入れ方向に転がるようになっている。【選択図】      図２
2005238729.tif 000002
【特許請求の範囲】
【請求項１】
画像形成装置本体の上面に設けられた操作パネルの設置角度を変更可能な画像形成装置のパネル角度変更機構であって、
前記画像形成装置本体に出し入れ可能なように移動自在に装着され、前記画像形成装置本体から引き出された状態の引き出し位置および前記引き出し位置から前記画像形成装置本体に押し入れられた状態の押し入れ位置を取りうる引き出し部と、
前記操作パネルを有し、前記引き出し部の上方において前記画像形成装置本体に対して上下方向に揺動自在に装着される操作部と、
前記引き出し部の出し入れ操作に連動して前記操作部を上下方向に揺動させる揺動機構と、
を備える画像形成装置のパネル角度変更機構。
【請求項２】
前記揺動機構は、少なくとも一部が引き出し方向上方に傾斜を持つように形成される前記操作部の下面と、前記引き出し部の上部に回転自在に装着され前記下面に当接して前記下面を出し入れ方向に転がる転がり部材とからなっている、
請求項１に記載の画像形成装置のパネル角度変更機構。
【請求項３】
前記操作部の前記下面は、前記転がり部材が当接して転がる当接面を有しており、
前記当接面は、押し入れ方向側から引き出し方向側に向けて引き出し方向上方に連続した傾斜を持つように形成されている、
請求項２に記載の画像形成装置のパネル角度変更機構。
【請求項４】
前記操作部の前記下面は、前記転がり部材が当接して転がる当接面を有しており、
前記当接面は、引き出し方向側に形成された第１当接面と前記第１当接面から押し入れ方向側に連続して形成された第２当接面とからなり、
前記第１当接面と前記第２当接面との少なくともいずれか一方は、引き出し方向上方に傾斜を持つように形成されている、
請求項２に記載の画像形成装置のパネル角度変更機構。
【請求項５】
前記当接面には、前記転がり部材の移動範囲に応じた溝部が形成されており、
前記転がり部材の外周の一部が前記溝部に係合した状態で前記転がり部材は転がるようになっている、
請求項３又は４に記載の画像形成装置のパネル角度変更機構。
【請求項６】
前記引き出し部には、物品を収納するための物品収納部が形成されている、
請求項１から５のいずれかに記載の画像形成装置のパネル角度変更機構。
【請求項７】
前記引き出し部には、前記引き出し部を出し入れするための取っ手部が形成されている、
請求項１から６のいずれかに記載の画像形成装置のパネル角度変更機構。
【発明の詳細な説明】
【技術分野】
【０００１】
本発明は、パネル角度変更機構、特に、画像形成装置本体の上面に設けられた操作パネルの設置角度を変更可能な画像形成装置のパネル角度変更機構に関する。
【背景技術】
【０００２】
複写機およびプリンタなどやこれら複合機に代表される画像形成装置は、床面上に設置した状態で使用される。このとき、ユーザは、床面に立った状態で、画像形成装置の上面に設けられた操作パネルを操作する。
【０００３】
近年、身体障害者等のユーザが、車椅子に座った状態で画像形成装置を操作する機会が増えてきている。しかしながら、従来の画像形成装置は、ユーザが床面に立った状態で操作パネルを操作することを前提に設計されている。このため、身体障害者等のユーザが、車椅子に座った状態で、画像形成装置の上面に設けられた操作パネルを操作しようとすると、操作パネルの表示部が見づらかったり操作パネルのキー操作がしづらかったりするという問題点があった。
【０００４】
このような問題点を解決するために、たとえば、操作パネルの設置角度を変更可能なパネル角度変更機構が画像形成装置本体に設けられている（特許文献１）。パネル角度変更機構は、主に、画像形成装置本体の前面上部に上下方向に揺動自在に取り付けられ上面に操作パネルを有する操作部と、操作部の裏面側に取り付けられた支持部材と、操作部の下方で画像形成装置本体の前面側に取り付けられ角度調節用の軸部材を有するアングル部材と、支持部材に揺動自在に取り付けられアングル部材の角度調節用の軸部材に係合するＬ字溝を有する操作レバーとから構成されている。ここで、Ｌ字溝は、操作部の裏面に略平行になるように形成された横溝部と、横溝部の画像形成装置本体側の端部から操作部の裏面に略垂直になるように形成された縦溝部とを有している。このパネル角度変更機構では、操作レバーを操作部側に押し上げた後に操作部を押し下げると、Ｌ字溝内を角度調節用の軸部材がＬ字溝の縦溝部端部から横溝部端部へと移動して、操作部の設定角度を所定の値に変更することができる。そして、操作レバーを手で握って操作部を押し上げると、Ｌ字溝内を角度調節用の軸部材がＬ字溝の横溝部端部から縦溝部端部へと移動して、操作部の設定角度を元の値に戻すことができる。このようなパネル角度変更機構では、操作部の設定角度を２段階に設定することができるようになっている。
【特許文献１】特開平１１−１１９４９８
【発明の開示】
【発明が解決しようとする課題】
【０００５】
従来のパネル角度変更機構では、操作レバーを操作部側に押し上げた後に操作部を押し下げることで、操作部の設定角度を所定の値に変更することができるようになっている。このようなパネル角度変更機構を車椅子に座ったユーザが操作しようとすると、ユーザは、片方の手で操作レバーを操作部側すなわち上方に押し上げるといった操作と、他方の手で操作部を下方に押し下げるといった操作とを実行する必要がある。しかしながら、手を自由に動かせない車椅子に座ったユーザにとっては、操作レバーの上方への押し上げ操作と操作部の下方への押し下げ操作といった逆方向の操作を、思い通りに実行できないおそれがある。一方で、従来のパネル角度変更機構では、操作部の設定角度を２段階に設定することができるようになっている。しかしながら、車椅子に座ったユーザの視点位置はユーザごとに異なるために、車椅子に座ったユーザによっては、最適な設定角度を選択できないおそれがある。
【０００６】
本発明の課題は、車椅子に座った状態で操作せざるを得ない身体障害者等のユーザが、操作部の角度を簡易な操作で変更できるようにし、操作パネルの設定角度を自由に選択できるようにすることにある。
【課題を解決するための手段】
【０００７】
請求項１に係る画像形成装置のパネル角度変更機構は、画像形成装置本体の上面に設けられた操作パネルの設置角度を変更可能なパネル角度変更機構である。このパネル角度変更機構は、引き出し部と、操作部と、揺動機構とを備えている。引き出し部は、画像形成装置本体に出し入れ可能なように移動自在に装着されている。この引き出し部は、画像形成装置本体から引き出された状態の引き出し位置および引き出し位置から画像形成装置本体に押し入れられた状態の押し入れ位置を取りうるようになっている。操作部は、操作パネルを有しており、引き出し部の上方において画像形成装置本体に対して上下方向に揺動自在に装着されている。揺動機構は、引き出し部の出し入れ操作に連動して操作部を上下方向に揺動させる。
【０００８】
このパネル角度変更機構では、揺動機構が、引き出し部の出し入れ操作に連動して操作部を上下方向に揺動させる。たとえば、引き出し部が押し入れ位置から引き出し位置へと画像形成装置本体から引き出されると、操作部は、揺動機構によって下方に揺動させられる。一方で、引き出し部が引き出し位置から押し入れ位置に画像形成装置本体に押し入れられると、操作部は、揺動機構によって上方に揺動させられる。このようにして、操作パネルの設置角度が変更される。
【０００９】
ここでは、引き出し部を画像形成装置本体から引き出したり画像形成装置本体に押し入れたりすることにより、操作部が揺動機構によって画像形成装置本体に対して下方又は上方に揺動させられ、操作パネルの設置角度が変更される。これにより、車椅子に座った状態で操作せざるを得ない身体障害者等のユーザは、引き出し部の引き出しおよび引き出し部の押し入れといった簡易な操作によって、操作部の角度を容易に変更することができる。また、車椅子に座ったユーザは、引き出し部の引き出し操作又は引き出し部の押し入れ操作によって、操作部の角度を自由に調節して、操作パネルの設置角度が最適な状態になるように操作部の角度を設定することができる。
【００１０】
請求項２に係る画像形成装置のパネル角度変更機構では、請求項１に記載のパネル角度変更機構において、揺動機構が、操作部の下面と転がり部材とからなっている。操作部の下面は、少なくとも一部が引き出し方向上方に傾斜を持つように形成されている。転がり部材は、引き出し部の上部に回転自在に装着されており、操作部の下面に当接して操作部の下面を出し入れ方向に転がるようになっている。この場合、揺動機構は、操作部の下面と転がり部材とからなっている。そして、転がり部材が、操作部の下面に当接して操作部の下面を出し入れ方向に転がるようになっている。
【００１１】
この場合、引き出し部が押し入れ位置から引き出し位置へと画像形成装置本体から引き出されると、引き出し部に装着された転がり部材が、操作部の下面を引き出し方向に転がりながら、引き出し部とともに引き出し方向に移動する。ここで、転がり部材が、操作部の下面に形成された引き出し方向上方に傾斜を持つ部分を引き出し方向に転がるときに、操作部が画像形成装置本体に対して下方に揺動して操作パネルの設置角度が変更される。一方で、引き出し部が引き出し位置から押し入れ位置へと画像形成装置本体に押し入れられると、引き出し部に装着された転がり部材が、操作部の下面を押し入れ方向に転がりながら、引き出し部とともに押し入れ方向に移動する。ここで、転がり部材が、操作部の下面に形成された引き出し方向上方に傾斜を持つ部分を押し入れ方向に転がるときに、操作部が画像形成装置本体に対して上方に揺動して操作パネルの設置角度が変更される。このようにして、車椅子に座った状態で操作せざるを得ない身体障害者等のユーザは、引き出し部の引き出しおよび引き出し部の押し入れといった簡易な操作によって、操作部の角度を容易に変更することができる。また、車椅子に座ったユーザは、引き出し部の引き出し操作又は引き出し部の押し入れ操作によって、操作部の角度を自由に調節して、操作パネルの設置角度が最適な状態になるように操作部の角度を設定することができる。
【００１２】
請求項３に係る画像形成装置のパネル角度変更機構では、請求項２に記載のパネル角度変更機構において、操作部の下面が、転がり部材が当接して転がる当接面を有している。この当接面は、押し入れ方向側から引き出し方向側に向けて引き出し方向上方に連続した傾斜を持つように形成されている。この場合、引き出し部を画像形成装置本体から引き出したり画像形成装置本体に押し入れたりすると、転がり部材が当接面を転がることにより、操作部が画像形成装置本体に対して下方又は上方に揺動して操作パネルの設置角度が変更される。これにより、車椅子に座ったユーザは、引き出し部の引き出しおよび引き出し部の押し入れといった操作によって、操作部の角度を容易に変更することができる。また、車椅子に座ったユーザは、引き出し部の引き出し操作又は引き出し部の押し入れ操作によって、操作部の角度を自由に調節して、操作パネルの設置角度が最適な状態になるように操作部の角度を設定することができる。
【００１３】
請求項４に係る画像形成装置のパネル角度変更機構では、請求項２に記載のパネル角度変更機構において、操作部の下面が、転がり部材が当接して転がる当接面を有している。この当接面は、引き出し方向側に形成された第１当接面と第１当接面から押し入れ方向側に連続して形成された第２当接面とからなっている。これら第１当接面と第２当接面との少なくともいずれか一方は、引き出し方向上方に傾斜を持つように形成されている。この場合、引き出し部を画像形成装置本体から引き出したり画像形成装置本体に押し入れたりすると、転がり部材が、引き出し方向上方に傾斜を持つように形成された当接面（第１当接面と第２当接面との少なくともいずれか一方）を転がるときに、操作部が画像形成装置本体に対して下方又は上方に揺動して操作パネルの設置角度が変更される。これにより、車椅子に座ったユーザは、引き出し部の引き出しおよび引き出し部の押し入れといった操作によって、操作部の角度を容易に変更することができる。また、車椅子に座ったユーザは、引き出し部の引き出し操作又は引き出し部の押し入れ操作によって、操作部の角度を自由に調節して、操作パネルの設置角度が最適な状態になるように操作部の角度を設定することができる。
【００１４】
請求項５に係る画像形成装置のパネル角度変更機構では、請求項３又は４に記載のパネル角度変更機構において、転がり部材の移動範囲に応じた溝部が当接面に形成されている。転がり部材の外周の一部が溝部に係合した状態で、転がり部材は転がるようになっている。この場合、転がり部材の外周の一部が溝部に係合した状態で転がり部材は転がるようになっているので、車椅子に座ったユーザは、引き出し部を画像形成装置本体からスムーズに引き出したり画像形成装置本体にスムーズに押し入れたりすることができる。これにより、車椅子に座ったユーザは、操作部の角度を変更しやすくなる。
【００１５】
請求項６に係る画像形成装置のパネル角度変更機構では、請求項１から５のいずれかに記載のパネル角度変更機構において、物品を収納するための物品収納部が引き出し部に形成されている。この場合、物品を収納するための物品収納部が引き出し部に形成されているので、車椅子に座ったユーザは、引き出し部を一旦引き出して物品収納部に例えば原稿等を収納した後に、引き出し部を操作して操作部の設定角度を変更することができる。
【００１６】
請求項７に係る画像形成装置のパネル角度変更機構では、請求項１から６のいずれかに記載のパネル角度変更機構において、引き出し部を出し入れするための取っ手部が引き出し部に形成されている。この場合、引き出し部を出し入れするための取っ手部が引き出し部に形成されているので、車椅子に座ったユーザは、取っ手部を掴むことによって、引き出し部を容易に出し入れすることができる。
【発明の効果】
【００１７】
本発明によれば、車椅子に座った状態で操作せざるを得ない身体障害者等のユーザは、引き出し部の引き出しおよび引き出し部の押し入れといった操作によって、操作部の設定角度を容易に変更することができる。また、車椅子に座ったユーザは、引き出し部の引き出し操作又は引き出し部の押し入れ操作によって、操作部の設定角度を自由に調節して、操作パネルの設置角度が最適な状態になるように操作部の設置角度を設定することができる。
【発明を実施するための最良の形態】
【００１８】
図１は、本発明の一実施形態による複写機１を前方から見た外観斜視図を示している。この複写機１は、床面に配置され、主に、複写機本体１０と、複写機本体１０の上部に開閉自在に装着された原稿押さえ１１とを有している。複写機本体１０の前面下部には、転写材たとえば用紙を供給するための給紙トレイ２０が設けられている。複写機本体１０の前面上部隅角部には、後述する引き出し部２６と操作部２２とを装着するための装着部２１が設けられている。図２に示すように、装着部２１は、複写機本体１０の前方から見て、両側壁２１ａと後壁２１ｂと底部２１ｃとを有しており、複写機本体１０の前方側と上方側とが開放されている。この装着部２１において、引き出し部２６は装着部２１の底部２１ｃに配置されており、操作部２２は引き出し部２６の上方に配置されている。ここで、装着部２１の底部２１ｃには、引き出し部２６を前後方向に移動させるための一対の凹状レール２１ｄが設けられている。一対の凹状レール２１ｄは、装着部２１の底部２１ｃにおいて、幅方向に所定の間隔を隔てて配置されている。一対の凹状レール２１ｄには、凹部底面のレール方向に所定の間隔を隔てて複数の第１突起部２１ｅが形成されている。操作部２２には操作パネル２３が配置されており、パネル角度変更機構２５によって、操作パネル２３の設置角度が変更可能になっている。
【００１９】
パネル角度変更機構２５は、図２および図３に示すように、複写機本体１０の上面に設けられた操作パネル２３の設置角度を変更するためのものである。パネル角度変更機構２５は、引き出し部２６と、転がり部材２７と、操作部２２とを備えている。
【００２０】
引き出し部２６は、複写機本体１０に対して出し入れ可能なように、操作部２２の下方で前後方向に移動自在に複写機本体１０の装着部２１に装着されている。引き出し部２６は、複写機本体１０から引き出された状態の引き出し位置（図３参照）および引き出し位置から複写機本体１０に押し入れられた状態の押し入れ位置（図２参照）を取りうるようになっている。引き出し部２６は矩形箱状に形成されている。この引き出し部２６の底部２６ａが装着部２１の底部２１ｃに配置されている。引き出し部２６の底部２６ａには、装着部２１の底部２１ｃに設けられた一対の凹状レール２１ｄに対向する位置に、一対の凹状レール２１ｄに係合する一対の凸状レール２６ｄが設けられている。一対の凸状レール２６ｄには、凸部上面のレール方向に所定の間隔を隔てて複数の第２突起部２６ｅが形成されている。この一対の凸状レール２６ｄの複数の第２突起部２６ｅは、一対の凹状レール２１ｄの第１突起部２１ｅに噛み合うようになっている。そして、引き出し部２６を装着部２１において前後方向に移動させるときには、引き出し部２６の一対の凸状レール２６ｄの複数の第２突起部２６ｅが、装着部２１の一対の凹状レール２１ｄの複数の第１突起部２１ｅを乗り越えられるようになっている。これにより、ユーザが引き出し部２６を装着部２１において前後方向に移動させたときに、ユーザは引き出し部２６を所定の位置で確実に静止させることができる。
【００２１】
引き出し部２６は、物品収納部２６ａと、転がり部材支持部２６ｂと、取っ手部２６ｃとを有している。物品収納部２６ａは、物品を収納するための部分であり、引き出し部２６を押し入れ位置に配置した状態で複写機本体１０の前面側に設けられている。転がり部材支持部２６ｂは、転がり部材２７の受け部２９を支持する部分であり、引き出し部２６を押し入れ位置に配置した状態で複写機本体１０の前面から離反した側すなわち装着部２１の後壁２１ｂ側に設けられている。ここで、転がり部材２７の受け部２９は、転がり部材２６ｂの上面に両側部２箇所に設けられている。取っ手部２６ｃは、引き出し部２６を出し入れするときに手で掴む部分であり、引き出し部２６の前面に設けられている。
【００２２】
転がり部材２７は、図４に示すように、たとえば、受け部２９に回転自在に装着される軸部２７ａと軸部２７ａの両端部に配置された一対のスペーサコロ２７ｂとを有している。一対のスペーサコロ２７ｂは、それぞれが円盤状に形成されており、それぞれが中心部において軸部２７ａに回転不能に装着されている。これにより、一対のスペーサコロ２７ｂと軸部２７ａとは、軸部２７ａの中心軸まわりに一体に回転することになる。このような転がり部材２７では、一対のスペーサコロ２７ｂが後述する操作部２２の溝部３１ａ，３２ａに係合して溝部３１ａ，３２ａに沿って引き出し方向または押し入れ方向に転がっていくようになっている。
【００２３】
操作部２２は、図２および図３に示すように、引き出し部２６の上方において複写機本体１０に対して上下方向に揺動自在に装着されている。この操作部２２は、たとえば、装着部２１の後壁２１ｂ上部に設けられた揺動用軸部２８を介して複写機本体１０に揺動自在に装着されている。操作部２２の背面は、引き出し部２６を押し入れ位置に配置したときに、装着部２１の後壁２１ｂとの間に操作部２２の揺動範囲に応じた揺動隙間Ｘが設けられるように、揺動用軸部２８を基点として複写機本体１０の前面側に傾斜を持つように形成されている。この揺動隙間Ｘは、引き出し部２６を押し入れ位置から引き出し位置へと移動させるにつれて、徐々に小さくなっていく。そして、引き出し部２６が引き出し位置に位置したときには、操作部２２の背面が装着部２１の後壁２１ｂに当接する。
【００２４】
操作部２２の下面２２ａは、転がり部材２７が当接して転がる当接面２２ｂを有している。具体的には、操作部２２の下面２２ａは、転がり部材２７の一対のスペーサコロ２７ｂが当接して転がる当接面２２ｂを有している。この当接面２２ｂは、引き出し方向側に形成された第１当接面３１と第１当接面３１から押し入れ方向側に連続して形成された第２当接面３２とからなっている。ここで、第１当接面３１と第２当接面３２とのなす角度は鈍角になっている。第１当接面３１は、引き出し方向上方に傾斜を持つように形成されている。第２当接面３２は、引き出し部２６を押し入れ位置に配置したときに床面に対して略水平になるように形成されている。
【００２５】
第１および第２当接面３１，３２には、転がり部材２７の移動範囲に応じて溝部３１ａ，３２ａが形成されている。この溝部３１ａ，３２ａは、転がり部材２７の一対のスペーサコロ２７ｂが押し入れ位置において第２当接面３２に当接する第２当接位置Ｂから、転がり部材２７の一対のスペーサコロ２７ｂが引き出し位置において第１当接面３１に当接する第１当接位置Ａまで引き出し方向に連続して延びている。溝部３１ａの第１当接位置Ａの近傍には、第１当接位置Ａから引き出し方向への転がり部材２７の転がりを規制するための第１突出部３１ｂが、第１当接面３１に形成されている。また、溝部３２ａの第２当接位置Ｂの近傍には、第２当接位置Ｂから押し入れ方向への転がり部材２７の転がりを規制するための第２突出部３２ｂが、第２当接面３２に形成されている。これら第１および第２突出部３１ｂ，３２ｂは、第１当接位置Ａ又は第２当接位置Ｂに転がり部材２７の一対のスペーサコロ２７ｂが位置するときに、一対のスペーサコロ２７ｂに当接して一対のスペーサコロ２７ｂが第１当接位置Ａ又は第２当接位置Ｂから引き出し方向又は押し入れ方向へ転がらないように規制する。
【００２６】
操作部２２は、操作パネル２３を有している。操作パネル２３は操作部２２の上面に設けられている。引き出し部２６を押し入れ位置に配置したときに、操作パネル２３の設置角度が揺動用軸部２８を通る床面に平行な平面に対して下方に第１角度αになるように、操作部２２の上面は形成されている。ここでは、第１角度αは、たとえば？度に設定されている。また、引き出し部２６を引き出し位置に配置したときに、操作パネル２３の設置角度が揺動用軸部２８を通る床面に平行な平面に対して下方に第２角度βとなるように、操作部２２の第１当接面３１の傾斜が設定されている。ここでは、第２角度βは、たとえば？度に設定されている。この第１角度αと第２角度βとの間で、操作部２２は複写機本体１０に対して上下方向に揺動する。
【００２７】
操作パネル２３には、主に、液晶表示部２３ａと操作キー２３ｂとが設けられている。液晶表示部２３ａは、たとえば複写機１に各種設定を指示可能なタッチパネルになっている。液晶表示部２３ａには、複写機１の各種設定情報や複写機１の動作情報等が表示される。また、液晶表示部２３ａには、ユーザが操作パネル２３に対して行った操作結果が反映して表示される。操作キー２３ｂには、たとえば、スタートキー、リセットキー、数字キー、クリアキー、割り込みキーなどの様々なキーが用意されている。
【００２８】
このようなパネル角度変更機構２５の動作を以下に説明する。
ユーザが引き出し部２６の取っ手部２６ｃを掴んで引き出し部２６を押し入れ位置から引き出し位置に向けて引き出すと、転がり部材２７のスペーサコロ２７ｂが、第２当接面３２に形成された溝部３２ａを転がりながら、引き出し部２６とともに引き出し方向に移動する。このときの操作パネル２３の設置角度は、第１角度αのまま維持されている。そして、転がり部材２７のスペーサコロ２７ｂが、第２当接面３２の溝部３２ａから第１当接面３１の溝部３１ａへと転がり移動して、第１当接面３１の溝部３１ａを転がりはじめる。すると、操作部２２が複写機本体１０に対して徐々に下方に揺動して操作パネル２３の設置角度が変更される。このときの操作パネル２３の設置角度は、第１角度αから第２角度βへと徐々に大きくなっていく。そして、転がり部材２７のスペーサコロ２７ｂが、第１当接面３１の溝部３１ａの第１当接位置Ａに到達すると、操作部２２の背面が装着部２１の後壁２１ｂに当接して、スペーサコロ２７ｂが第１突出部３１ｂに当接する。これにより、引き出し部２６は、引き出し位置に位置決めされる（図３参照）。このときの操作パネル２３の設置角度は、第２角度βに設定される。
【００２９】
一方で、ユーザが引き出し部２６の取っ手部２６ｃを掴んで引き出し部２６を引き出し位置から押し入れ位置に押し入れると、転がり部材２７のスペーサコロ２７ｂが、第１当接面３１に形成された溝部３１ａを転がりながら、引き出し部２６とともに押し入れ方向に移動する。すると、操作部２２が複写機本体１０に対して徐々に上方に揺動して操作パネル２３の設置角度が変更される。このときの操作パネル２３の設定角度は、第２角度βから第１角度αへと徐々に小さくなっていく。そして、転がり部材２７のスペーサコロ２７ｂが、第１当接面３１の溝部３１ａから第２当接面３２の溝部３２ａへと転がり移動して、第２当接面３２の溝部３２ａを転がりはじめると、操作部２２が複写機本体１０に対して揺動しなくなり操作パネル２３の設置角度が第１角度αで維持される。そして、転がり部材２７のスペーサコロ２７ｂが、第２当接面３２の溝部３２ａの第２当接位置Ｂに到達すると、スペーサコロ２７ｂが第２突出部３２ｂに当接する。これにより、引き出し部２６は、押し入れ位置に位置決めされる（図２参照）。
【００３０】
本実施形態では、車椅子に座った状態で操作せざるを得ない身体障害者等のユーザは、引き出し部２６の引き出しおよび引き出し部２６の押し入れといった操作によって、操作部２２の設定角度を容易に変更することができる。また、車椅子に座ったユーザは、引き出し部２６の引き出し操作又は引き出し部２６の押し入れ操作によって、操作部２２の設定角度を自由に調節して、操作パネル２３の設置角度が最適な状態になるように操作部２２の設置角度を設定することができる。
【００３１】
〔他の実施形態〕
（ａ）前記実施形態では、第１当接面３１が引き出し方向上方に傾斜を持つように形成される場合の例を示したが、当接面の形成方法は、前記実施形態に限定されず、引き出し部２６の出し入れ操作に連動して操作部２２を上下方向に揺動させることができれば、どのようにしても良い。たとえば、図５に示すように、当接面１２２ｂを、押し入れ方向側（Ｂ点側）から引き出し方向側（Ａ点側）に向けて引き出し方向上方に連続した傾斜を持つように形成しても良い。この場合、引き出し部１２６を複写機本体１１０の装着部１２１から引き出したり装着部１２１に押し入れたりすると、転がり部材１２７が当接面１２２ｂに形成された溝部１３１ａを前後方向に転がって、操作部１２２を複写機本体１１０に対して上下方向に揺動させることができる。このようにしても、前記実施形態と同様の効果を得ることができる。
【００３２】
（ｂ）前記実施形態では、本発明が複写機１に対して適用される場合の例を示したが、本発明は、複写機１だけでなく、プリンタおよびファクシミリなどやこれら複合機等の画像形成装置に対しても適用することができる。
【図面の簡単な説明】
【００３３】
【図１】本発明の一実施形態による複写機を前方から見た外観斜視図。
【図２】パネル角度変更機構の断面図（押し入れ位置）。
【図３】パネル角度変更機構の断面図（引き出し位置）。
【図４】引き出し部に装着された転がり部材を前方から見た図。
【図５】本発明の他の実施形態によるパネル角度変更機構の断面図（押し入れ位置）。
【符号の説明】
【００３４】
１                複写機
１０，１１０      複写機本体（画像形成装置本体）
２１，１２１      装着部
２２，１２２      操作部
２２ａ            操作部の下面（揺動機構）
２２ｂ，１２２ｂ  当接面
２３              操作パネル
２５              パネル角度変更機構
２６，１２６      引き出し部
２６ａ            物品収納部
２６ｃ            取っ手部
２７，１２７      転がり部材（揺動機構）
３１              第１当接面
３２              第２当接面
３１ａ，３２ａ    溝部
【図１】
2005238729.tif 000003
【図２】
2005238729.tif 000004
【図３】
2005238729.tif 000005
【図４】
2005238729.tif 000006
【図５】
2005238729.tif 000007
【手続補正書】
【提出日】平成16年3月2日(2004.3.2)
【手続補正１】
【補正対象書類名】明細書
【補正対象項目名】００２６
【補正方法】変更
【補正の内容】
【００２６】
操作部２２は、操作パネル２３を有している。操作パネル２３は操作部２２の上面に設けられている。引き出し部２６を押し入れ位置に配置したときに、操作パネル２３の設置角度が揺動用軸部２８を通る床面に平行な平面に対して下方に第１角度αになるように、操作部２２の上面は形成されている。また、引き出し部２６を引き出し位置に配置したときに、操作パネル２３の設置角度が揺動用軸部２８を通る床面に平行な平面に対して下方に第２角度βとなるように、操作部２２の第１当接面３１の傾斜が設定されている。この第１角度αと第２角度βとの間で、操作部２２は複写機本体１０に対して上下方向に揺動する。